(57)【要約】      （修正有）【課題】受信部分と送信部分を備えた、磁気共鳴システムのための肩用コイルを提供する。【解決手段】送信部分１，２は磁気共鳴システムの全身用コイルの無線周波数磁界と結合されるのに用いられる。磁気共鳴システム内の肩関節結像用の局部コイルは送信部分１，２と受信部分を有し、受信部分１，２は全身用コイルからの無線周波数磁界を結合するので、局部コイルは特別な送信ケーブルを介して磁気共鳴システムに接続される必要はない。従って局部コイルは微細な構造を有し、必要なコストは低い。この肩用コイルは、高い強度を有する、均一な無線周波数磁界領域を形成することができ、全身用コイルの送信パワーが低下し、無線周波数の全体的な比吸収率が低くなる。機械的な観点ではこの肩用コイルの送信部分１，２と受信部分は使用のために自由に組み合わされ、受信部分が単独で、または送信部分１，２と一緒に使用され、応用の柔軟性が改善される。【選択図】図１Ａ
2014039823.tif 000002
【特許請求の範囲】
【請求項１】
受信部分を有している、磁気共鳴システムのための肩用コイルであって、
前記肩用コイルはさらに送信部分を有しており、前記送信部分は、前記磁気共鳴システムの全身用コイルの無線周波数磁界と結合される、
ことを特徴とする、磁気共鳴システムのための肩用コイル。
【請求項２】
前記送信部分はヘルムホルツコイルを含んでいる、請求項１記載の肩用コイル。
【請求項３】
前記送信部分は２つの円形リングと２本のワイヤーを有しており、
前記２つの円形リングは等しく、相互に平行であり、かつ同軸であり、
前記２つの円形リングはそれぞれ１つの開口部を有しており、ここで各開口部の２つの終端部はそれぞれ前記２本のワイヤーに接続されており、前記２本のワイヤーは奇数回、交差している、請求項１記載の肩用コイル。
【請求項４】
前記送信部分は２つの円形リングと２本のワイヤーを有しており、
前記２つの円形リングは等しく、かつ同軸であり、
前記２つの円形リングはそれぞれ１つの開口部を有しており、ここで各開口部の２つの終端部それぞれ前記２本のワイヤーに接続されており、前記２本のワイヤーは奇数回、交差しており、前記２つの円形リングは前記各開口部と反対側の終端部で互いの方に傾き合っている、請求項１記載の肩用コイル。
【請求項５】
前記円形リングは１つまたは複数のキャパシタを有しており、前記複数のキャパシタは前記円形リング上で等間隔で直列接続されている、請求項２から４いずれか１項記載の肩用コイル。
【請求項６】
前記送信部分の三次元の幾何学的中心は、前記受信部分の三次元の幾何学的中心と一致する、請求項１記載の肩用コイル。
【請求項７】
前記送信部分は、前記受信部分に取り外し可能に接続されている、請求項１記載の肩用コイル。
【請求項８】
磁気共鳴システムの全身用コイルの無線周波数磁界と結合される、磁気共鳴システムのための肩用コイルの送信コイルであって、
前記送信コイルは２つの円形リングと２本のワイヤーを有しており、
前記２つの円形リングは等しく、相互に平行であり、かつ同軸であり、
前記２つの円形リングはそれぞれ１つの開口部を有しており、ここで各開口部の２つの終端部はそれぞれ前記２本のワイヤーに接続されており、前記２本のワイヤーは奇数回、交差している、
ことを特徴とする、磁気共鳴システムの肩用コイルの送信コイル。
【請求項９】
磁気共鳴システムの全身用コイルの無線周波数磁界と結合される、磁気共鳴システムのための肩用コイルの送信コイルであって、
前記送信コイルは２つの円形リングと２本のワイヤーを有しており、
前記２つの円形リングは等しく、かつ同軸であり、
前記２つの円形リングはそれぞれ１つの開口部を有しており、ここで各開口部の２つの終端部はそれぞれ前記２本のワイヤーに接続されており、前記２本のワイヤーは奇数回、交差し、前記２つの円形リングは前記各開口部と反対側の終端部で互いの方へ傾き合っている、
ことを特徴とする、磁気共鳴システムのための肩用コイルの送信コイル。
【請求項１０】
請求項１から７までのいずれか１項に記載されている肩用コイルを含んでいる磁気共鳴システム。
【発明の詳細な説明】
【技術分野】
【０００１】
本発明は、磁気共鳴映像法の技術分野に関し、殊に、磁気共鳴システム用の肩用コイルおよび送信コイルに関する。
【背景技術】
【０００２】
磁気共鳴映像法（ＭＲＩ）システムは、種々のコイル、例えば体全体を覆う全身用コイル、体の特定の部分のみを覆う局部コイル等である。全身用コイルは自己送信および自己受信コイルである。一般的に、全身用コイルのカバー面積は比較的大きいので、高い送信パワーが必要とされ、結果として生じる画像の信号対ノイズ比は低く、信号対ノイズ比は画像を通して均一でない。局部コイルのカバー面積は比較的小さく、例えば膝は膝用コイルによってカバーされ、頭部は頭部用コイルによってカバーされ、手首は手首用コイルによってカバーされ、これら全ては、比較的小さい範囲なので、局部コイルは、無線周波数励起の限られた範囲内の無線周波数信号のみを受信する（送信段の無線周波数信号と区別するために、コイルによって受信された無線周波数信号を以降で、磁気共鳴信号と称する）；従って、結果として生じる画像の信号対ノイズ比は比較的高く、この信号対ノイズ比は画像にわたって比較的均一である。
【０００３】
整形外科画像は、磁気共鳴用途の重要な使用法である。磁気共鳴システムの整形外科画像医療用途において、肩関節の検査は高画質の画像を必要とする。肩関節は複雑な構造を有しているので、高画質の肩関節画像を得るために、通常、特別に設計されたコイルが必要となる。また、患者に快適性を供給し、肩の位置の詳細を考慮するために、一般的には、肩用コイルは病床の端に配置されなければならない；しかし、病床の端は通常、均一な磁界領域に近いエッジであり、静的な磁界の均一性とエッジ領域の無線周波数磁界の均一性との両方が低減されてしまう。これによって、画像形状が歪められてしまう、または画質が低下してしまう。
【０００４】
肩関節結像を引き受ける磁気共鳴システムにおいて近年使用されているコイルは主に、受信コイルとして使用されているフェーズドアレイコイルであり、市場では、肩関節結像用の多くの特別な受信用フェーズドアレイコイルがある。受信用フェーズドアレイコイルは、幾つかの閉鎖された受信エレメントの集合体である。各コイルユニットは、信号を低ノイズ前置増幅器と独立した受信チャネルを介して受信し、信号に後処理をする。このようにして、高い信号対ノイズ比の画像と、小さいコイルユニットと、比較的大きい結像領域（ＦＯＶ）を得ることができる。
【０００５】
近年、送信用コイルと受信用コイルとが組み合わされた送信／受信コイルが、磁気共鳴システム内で幅広く使用されている。同じ送信パワーを使用した状況では、受信用フェーズドアレイコイルと比べて、送信／受信コイルは高い強度およびフォーカス領域における高い均一性の無線周波数磁界を形成することができる。なぜなら、送信／受信コイルは、送信効果を改善する特別な送信部分を有しているからである。これによって、多くの効果が、磁気共鳴システムのこの用途にもたらされる。
【０００６】
しかし、磁気共鳴システムとの接続のための専用送信ケーブルを有する送信／受信コイルは、ハイパワーキャパシティスイッチ回路と配電回路の使用を必要とする。設計の困難さが低減するが、コイルとシステムのコストは大幅に増大する。
【０００７】
要約すると、磁気共鳴システムとの接続のための専用送信ケーブルを有する送信／受信コイルは以下の欠点を有している：
１．上述したように、送信／受信コイルは専用の送信ケーブルを磁気共鳴システムとの接続のために有しており、磁気共鳴システムも、送信／受信コイルとの接続のために、相応する専用送信ケーブルを必要とし、さらに専用の送信／受信スイッチ回路、配電回路および接続回路を使用することが必要となり、これによって、送信／受信コイルのかさが大きくなり、かつコストがかかってしまう。
２．磁気共鳴システムとの接続のための専用送信ケーブルを有する送信／受信コイルは、太いケーブルを使用してハイパワー送信をサポートすることができる。しかしこのケーブルは大きいスペースを占有し、柔軟性も良くないので、実際の医療用途では不便さが生じてしまう。
【発明の概要】
【発明が解決しようとする課題】
【０００８】
発明が解決しようとする課題は、従来技術の欠点を解決した、磁気共鳴システムの肩用コイル、磁気共鳴システムの肩用コイルの送信コイルおよび肩用コイルを含んでいる磁気共鳴システムを提供することである。
【課題を解決するための手段】
【０００９】
上述の課題は、受信部分を有している、磁気共鳴システムのための肩用コイルであって、前記肩用コイルはさらに送信部分を有しており、前記送信部分は、前記磁気共鳴システムの全身用コイルの無線周波数磁界と結合される、ことを特徴とする、磁気共鳴システムのための肩用コイルによって解決され、磁気共鳴システムのための肩用コイルの送信コイルであって、前記磁気共鳴システムの全身用コイルの無線周波数磁界と結合され、前記送信コイルは２つの円形リングと２本のワイヤーを有しており、前記２つの円形リングは等しく、相互に平行であり、かつ同軸であり、前記２つの円形リングはそれぞれ１つの開口部を有しており、ここで各開口部の２つの終端部はそれぞれ前記２本のワイヤーに接続されており、前記２本のワイヤーは奇数回、交差している、ことを特徴とする、磁気共鳴システムの肩用コイルの送信コイルによって解決され、磁気共鳴システムのための肩用コイルの送信コイルであって、前記磁気共鳴システムの全身用コイルの無線周波数磁界と結合され、前記送信コイルは２つの円形リングと２本のワイヤーを有しており、前記２つの円形リングは等しく、かつ同軸であり、前記２つの円形リングはそれぞれ１つの開口部を有しており、ここで各開口部の２つの終端部はそれぞれ前記２本のワイヤーに接続されており、前記２本のワイヤーは奇数回、交差し、前記２つの円形リングは前記各開口部と反対側の終端部で互いの方へ傾き合っている、ことを特徴とする、磁気共鳴システムのための肩用コイルの送信コイルによって解決され、さらに、上述した肩用コイルを含んでいる磁気共鳴システムによって解決される。
【図面の簡単な説明】
【００１０】
【図１Ａ】本発明の特別な実施形態ＩＩに従った磁気共鳴システムのための肩用コイルの三次元斜視図
【図１Ｂ】本発明の特別な実施形態ＩＩに従った磁気共鳴システムのための肩用コイルの左側部分の斜視図
【図２】本発明の特別な実施形態ＩＩに従った磁気共鳴システムのための肩用コイルの疑似ヘルムホルツコイルの概略図
【図３Ａ】本発明の特別な実施形態ＩＩＩに従った磁気共鳴システムのための肩用コイルの三次元斜視図
【図３Ｂ】本発明の特別な実施形態ＩＩＩに従った磁気共鳴システムのための肩用コイルの左側の斜視図
【発明を実施するための形態】
【００１１】
送信／受信コイルの大きさを低減するために、および、コストを低くするために、および、柔軟性を改善するために、本発明では、磁気共鳴システムのための肩用コイルが提案される。肩用コイルは、受信部分を含んでおり、さらに、磁気共鳴システムの全身用コイルの無線周波数磁界と結合されるための送信部分を含んでいる。
【００１２】
有利には、送信部分はヘルムホルツコイルを含んでいる。有利には、送信部分は２つの円形リングと２本のワイヤーを有している。ここでこの２つ円形リングは等しく、相互に平行であり、かつ同軸であり、これらの２つの円形リングはそれぞれ１つの開口部を有しており、各開口部の２つの終端部はそれぞれ２本のワイヤーに接続されており、この２本のワイヤーは奇数回、交差している。
【００１３】
有利には、送信部分は２つの円形リングと２本のワイヤーを有している。ここで２つ円形リングは等しく、かつ同軸であり、これらの２つの円形リングはそれぞれ１つの開口部を有している。各開口部の２つの終端部はそれぞれ２本のワイヤーに接続されており、２本のワイヤーは奇数回、交差しており、２つの円形リングは、開口部の反対側の終端部で、互いの方へ傾き合っている。
【００１４】
有利には、円形リングは１つまたは複数のキャパシタを含んでいる。ここでこれらのキャパシタは、円形リング上に等間隔で直列接続されている。
【００１５】
有利には、送信部分の三次元の幾何学的中心は、受信部分のそれと一致する。
【００１６】
有利には、送信部分は、取り外し可能に受信部分と接続されている。
【００１７】
本発明では、上述されたいずれかの肩用コイルを含んでいる磁気共鳴システムも提案される。
【００１８】
本発明では、磁気共鳴システムのための肩用コイルの送信コイルも提案される。これは、磁気共鳴システムの全身用コイルの無線周波数磁界と結合されるためのものである。ここでこの送信コイルは２つの円形リングと２本のワイヤーを含んでいる：２つ円形リングは等しく、相互に平行であり、かつ同軸であり、これらの２つの円形リングはそれぞれ開口部を有している。各開口部の２つの終端部はそれぞれ２本のワイヤーに接続されており、２本のワイヤーは奇数回、交差する。
【００１９】
本発明では、磁気共鳴システムのための肩用コイルの送信コイルも提案される。これは、磁気共鳴システムの全身用コイルの無線周波数磁界と結合されるためのものである。ここでこの送信コイルは２つの円形リングと２本のワイヤーを含んでいる：２つ円形リングは等しく、かつ同軸であり、これらの２つの円形リングはそれぞれ１つの開口部を有している。各開口部の２つの終端部はそれぞれ２本のワイヤーに接続されており、２本のワイヤーは奇数回、交差しており、２つの円形リングは、各開口部と反対側の終端部で、互いの方に傾き合っている。
【００２０】
上述した技術的なソリューションから分かるように、本発明において提供される磁気共鳴システムにおいて肩関節結像のための局部コイルは送信部分と受信部分とを含んでおり、送信部分は全身用コイルからの無線周波数磁界と結合されるので、局部コイルが、特別な送信ケーブルを介して磁気共鳴システムに結合される必要はない。従って、局部コイルは微細な構造を有し、低いコストしか要求しない；また同時に、受信部分はフェーズドアレイコイルを使用し、従って肩関節の構造に従って最適化される。この肩用コイルは高い強度を有する均一な無線周波数磁界領域を形成することができ、これによって全身用コイルの送信パワーを低減させ、無線周波数の全体的な比吸収率（ＳＡＲ）を低化させる。機械的な観点では、この肩用コイルの送信部分と受信部分は使用にあたって自由に結合可能である。すなわち受信部分が単独で使用されても、または、送信部分と受信部分が一緒に使用されてもよく、応用の柔軟性が改善される。
【実施例】
【００２１】
特別な実施形態
以降で、本発明の技術的なソリューションに対する明瞭かつ完全な説明を、本発明の添付図面を参照にして行う。図示の実施形態は本発明の幾つかの実施形態、むしろ全ての実施形態であると見受けられる。ここに記載されている特別な実施形態は、本発明を説明するためのものであり、本発明を制限するものではないことを理解されたい。本発明のこの実施形態に基づいて、当業者によって実現される他の全ての実施形態は、発明性のある作業が伴わないという前提で、本発明の保護の範囲に属する。
【００２２】
本発明の核となるのは、磁気共鳴システムのための肩用コイルである。これは、送信部分と受信部分とを含んでおり、これらは相互に独立している。また送信部分は全身用コイルによって伝送された無線周波数磁界を結合する。従って、特別な送信ケーブルは必要無く、肩用コイルはシンプルな構造を有しており、必要とするコストは低い。受信部分はフェーズドアレイコイルを使用し、肩関節の構造に従って最適化可能である。
【００２３】
特別な実施形態Ｉ
本発明の特別な実施形態Ｉに即した磁気共鳴システムのための肩用コイルは送信部分と受信部分とを含んでおり、この送信部分と受信部分は相互に独立している。送信部分は、無線周波数磁界の均一性を強める。これは、従来のヘルムホルツコイルを、全身用コイルの無線周波数磁界との結合のために使用することによって行われる。これと同時に、無線周波数磁界の均一性が高まるので、無線周波数磁界の伝送パワーが適切な方法で低減される；受信部分は、検査体によってフィードバックされた磁気共鳴信号を受信するためのフェーズドアレイコイルである。従来のヘルムホルツコイルは、相互に平行であり、かつ同軸の同じ円形リングの対である。
【００２４】
本発明の特別な実施形態Ｉの磁気共鳴システムの肩用コイルでは、ヘルムホルツコイルは極めて高い、均一な無線周波数磁界領域を形成することができる。従って、この肩用コイルは、全身用コイルの送信パワーを低減させることができ、かつ無線周波数の全般的な比吸収率（ＳＡＲ）を低化させることができる。付加的に、機械的な観点では、肩用コイルの送信部分と受信部分は相互に独立しており、従って、使用のために自由に結合可能である。すなわち、受信部分は単独で使用可能であり、送信部分と受信部分とが一緒に使用されてもよい。従って、肩用コイルの柔軟性が改善される。
【００２５】
さらに、ヘルムホルツコイルだけが送信部分として使用可能であるのではなく、全身用コイルの無線周波数磁界と結合することができる他のコイルも、同じ技術的な効果を実現することができる。これは例えばバードケージコイルである。
【００２６】
特別な実施形態ＩＩ
図１Ａは、本発明の特別な実施形態ＩＩに従った磁気共鳴システムのための肩用コイルの三次元斜視図である。図１Ｂは、本発明の特別な実施形態ＩＩに従った磁気共鳴システムのための肩用コイルの三次元斜視図である。図１Ａおよび図１Ｂは、特別な実施形態ＩＩに従った磁気共鳴システムの肩用コイルの内側のコイルだけを示しており、外側のケーシングは示していない。
【００２７】
特別な実施形態Ｉに従った磁気共鳴システムのための肩用コイルでは、結合が、従来のヘルムホルツコイルの２つのサブコイルの間にも延在している。これは、磁気共鳴システムの画質に影響を及ぼすだろう。
【００２８】
図１Ａおよび１Ｂに示されているように、本発明の特別な実施形態ＩＩに従った磁気共鳴システムの肩用コイルは、送信部分ＴＸと受信部分ＲＸを含んでいる。送信部分ＴＸは、磁気共鳴システム内の全身用コイルの無線周波数信号と結合するための、疑似ヘルムホルツコイルであり、無線周波数磁界を強め、送信部分ＴＸの形状は肩の構造およびサイズに合わせて調整可能である。受信部分ＲＸは、検査体によってフィードバックされた磁気共鳴信号を受信するためのフェーズドアレイコイルである。
【００２９】
図１Ａに示されているように、送信部分ＴＸとして作用する疑似ヘルムホルツコイルは、同じサイズで、同軸かつ平行な２つの円形リング１と２を含んでいる。ここで円形リング１と円形リング２は、半径方向において同じ位置で分離されており、同時に、分離点において、交差されたワイヤー３および４を介して結合されている。これによって、疑似ヘルムホルツコイルが形成される；換言すれば、円形リング１と円形リング２はそれぞれ１つの開口部を有している。ここで開口部の２つの終端部はそれぞれワイヤー３とワイヤー４に接続されており、ワイヤー３とワイヤー４は一度、交差する、またはワイヤー３とワイヤー４は奇数回交差する。有利には、円形リング１と円形リング２との間の間隔は、円形リング１および円形リング２の半径に等しい。
【００３０】
図２は、本発明の特別な実施形態ＩＩに即した磁気共鳴システムのための肩用コイルの疑似ヘルムホルツコイルの概略図である。図２に示されているように、疑似ヘルムホルツコイルは全体で、「８」の字状に面上に展開されており、疑似ヘルムホルツコイルは円形リング１、円形リング２、ワイヤー３およびワイヤー４を含んでいる。円形リング１は円弧１−１、円弧１−２、円弧１−３、円弧１−４およびキャパシタＣ１１、キャパシタＣ１２およびキャパシタＣ１３を含んでおり、円形リング２は円弧２−１、円弧２−２、円弧２−３、円弧２−４およびキャパシタＣ２１、キャパシタＣ２２およびキャパシタＣ２３を含んでいる。キャパシタＣ１１とキャパシタＣ１２とキャパシタＣ１３は、直列に、等間隔で、円形リング１上に均等に接続されており、同時にキャパシタＣ２１とキャパシタＣ２２とキャパシタＣ２３は、直列に、等間隔で、円形リング２上に均等に接続されている。円形リング上のキャパシタは、特定の周波数で疑似ヘルムホルツコイルの結合作用を調整することができる。従って、疑似ヘルムホルツコイルは、無線周波数磁界の特定の周波数において最高の結合効果を得ることができ、これによって画質が改善される。
【００３１】
円形リング１と円形リング２はそれぞれ、胸部と背中に分布しており、円形リング１と円形リング２は平行かつ同軸である。円形リング１と円形リング２は腕付近の側で分離されており、この分離箇所は、ワイヤー３と４を用いて交差接続されている。図２に示されているように、疑似ヘルムホルツコイルの円形リング１または円形リング２はそれぞれ３つのキャパシタを含んでいる。しかしこれは３つに制限されているのではなく、疑似ヘルムホルツコイル内に含まれているキャパシタの数は、疑似ヘルムホルツコイルの動作周波数およびキャパシタによって耐えられる最大電圧に従って定められる。
【００３２】
従来のヘルムホルツコイルと比較して、ワイヤー３およびワイヤー４によって円形リング１と円形リング２を交差接続する疑似ヘルムホルツコイルは、円形リング１と円形リング２との間の結合作用を除去する。従って、従来のヘルムホルツコイルを使用したことによって生じる、円形リング１と円形リング２との間の結合効果に対する特別な後処理を実施するステップを省くことができる。
【００３３】
図１Ｂに示されているように、受信部分ＲＸとして作用するフェーズドアレイコイルは、８つのコイルユニット５、６、７、８、９、１０、１１および１２を含んでおり、これらはそれぞれ、検査体の肩の前側、後ろ側、上側、下側、左側、右側等の位置に配置されている。相互に調整されるコイルは、それらの間の結合を除去する。これは、幾何学形状的な重畳によって行われる。図１Ｂに示されているように、受信部分ＲＸとして作用するフェーズドアレイコイルのコイルユニットの数は８を含んでいるが、これは８に制限されず、ユーザは、８つのコイルユニットよりも多くのコイルユニットを有するフェーズドアレイコイルまたは８つのコイルユニットよりも少ないコイルユニットを有するフェーズドアレイコイルを、要望に応じて選択することができる。コイルユニット数の選択における重要な点は、肩の前後、左右および上下において磁気共鳴信号が受信されることを保証する、ということであり、図１Ａに示されているように、受信部分ＲＸとして作用するフェーズドアレイコイルのコイルユニットの数は１６である。
【００３４】
受信部分ＲＸとして作用するフェーズドアレイコイル（コイルユニット５−１２）は、疑似ヘルムホルツコイルによって構成されている空間内に配置されている。ここでコイルユニット５とコイルユニット６は肩の前面部上に分布しており、コイルユニット１１とコイルユニット１２は背面部に分布しており、コイルユニット８とコイルユニット１０はそれぞれ前面僧帽筋と後面僧帽筋上に分布しており、コイルユニット７とコイルユニット９は肩峰位置に配分されている。
【００３５】
有利には、送信部分ＴＸの三次元の幾何学的中心は、受信部分ＲＸの三次元の幾何学的中心と一致する。ここで送信部分ＴＸの最も効果のある領域は、受信部分ＲＸの最も効果のある領域と一致する。従って、磁気共鳴映像法の効果が改善される。
【００３６】
本発明の特別な実施形態ＩＩの磁気共鳴システムの肩用コイルでは、疑似ヘルムホルツコイルは極めて高い、均一な無線周波数領域を形成することができ、従ってこの肩用コイルは全身用コイルの送信パワーを低減させることができ、無線周波数の全般的な比吸収率（ＳＡＲ）を下げることができる；さらに、画質が改善される。なぜなら、疑似ヘルムホルツコイルが、２つのコイルの間の結合を除去するからである。付加的に、機械的な観点において、肩用コイルの送信部分と受信部分は相互に独立しており、従って使用のために自由に組み合わせられる。すなわち、受信部分を単独で使用することができ、また送信部分と受信部分を一緒に使用することもできる。従って、この肩用コイルの自由度は改善される。
【００３７】
特別な実施形態ＩＩＩ
図３Ａは、本発明の特別な実施形態ＩＩＩに即した磁気共鳴システムのための肩用コイルの三次元斜視図であり、図３Ｂは本発明の特別な実施形態ＩＩＩに即した磁気共鳴システムのための肩用コイルの三次元斜視図であり、図３Ａと図３Ｂは、特別な実施形態ＩＩＩに即した磁気共鳴システムの肩用コイルの内側のコイルのみを示しており、外側のケーシングは示していない。
【００３８】
図３Ａおよび図３Ｂに示されているように、本発明の特別な実施形態ＩＩＩに従った磁気共鳴システムの肩用コイルは、本発明の特別な実施形態ＩＩＩに従った磁気共鳴システムの肩用コイルと同じであり、送信部分ＴＸと受信部分ＲＸとを含んでいる。送信部分ＴＸは、磁気共鳴システム内の全身用コイルの無線周波数信号と結合されるための疑似ヘルムホルツコイルであり、無線周波数磁界を強める。送信部分ＴＸの形状は、肩の構造およびサイズに従って調整可能である。受信部分ＲＸは、検査体によってフィードバックされた磁気共鳴信号を受信するためのフェーズドアレイコイルである。送信部分ＴＸとして作用する疑似ヘルムホルツコイルは、円形リング１３、円形リング１４、ワイヤー１５およびワイヤー１６を有している。また、受信部分ＲＸとして作用する中間層フェーズドアレイ受信コイルは、コイルユニット１７−２４を含んでいる。
【００３９】
円形リング１３と円形リング１４はそれぞれ１つの開口部を有している。ここでこの開口部の２つの終端部はワイヤー１５とワイヤー１６に接続されており、ワイヤー１５とワイヤー１６は一度交差する、またはワイヤー１５とワイヤー１６は奇数回交差する。
【００４０】
本発明の特別な実施形態ＩＩＩに従った磁気共鳴システムの肩用コイルの送信部分ＴＸとして作用する疑似ヘルムホルツコイルは、本発明の特別な実施形態ＩＩとは次の点において異なっている。すなわち、本発明の特別な実施形態ＩＩＩの疑似ヘルムホルツコイルの円形リング１３と円形リング１４とは平行ではなく、円形リング１３と円形リング１４が、ワイヤー接続箇所と反対側の終端部で互いの方に傾き合っている、という点において異なっている。このようにして、本発明の特別な実施形態ＩＩＩの磁気共鳴システムの肩用コイルは効果的に無線周波数磁界の磁界強度を高める。
【００４１】
本発明において提示されている磁気共鳴システム内の肩関節結像用の局部コイルは、送信部分と受信部分とを含んでおり、送信部分は全身用コイルからの無線周波数磁界と結合されるので、局部コイルが特別な送信ケーブルを介して磁気共鳴システムに接続される必要はない。従って局部コイルは微細な構造を有しており、必要とするコストは低い；同時に、受信部分はフェーズドアレイコイルを使用するので、肩関節の構造に従って最適化が可能である。この肩用コイルは均一な無線周波数磁界領域を形成することができる。これは、高い強度を有するので、これによって全身用コイルの送信パワーが低減され、無線周波数の全般的な比吸収率（ＳＡＲ）が低くなる。機械的な観点ではこの肩用コイルの送信部分と受信部分は使用のために自由に組み合わされ、受信部分が単独で使用される、または送信部分と受信部分が一緒に使用されるので、使用の柔軟性が改善される。
【００４２】
上述の記載は単に、本発明の有利な実施形態であり、本発明を制限するものではなく、本発明の精神および原理内のあらゆる修正、同等なものおよび改善は、本発明の保護範囲によってカバーされるべきである。
【符号の説明】
【００４３】
ＴＸ  送信部分、  ＲＸ  受信部分、  １  円形リング、  ２  円形リング、  ３  ワイヤー、  ４  ワイヤー、  ５  コイルユニット、  ６  コイルユニット、  ７  コイルユニット、  ８  コイルユニット、  ９  コイルユニット、  １０  コイルユニット、  １１  コイルユニット、  １２  コイルユニット、  １３  円形リング、  １４  円形リング、  １５  ワイヤー、  １６  ワイヤー、  １−１  円弧、  １−２  円弧、  １−３  円弧、  １−４  円弧、  Ｃ１１  キャパシタ、  Ｃ１２  キャパシタ、  Ｃ１３  キャパシタ、  ２−１  円弧、  ２−２  円弧、  ２−３  円弧、  ２−４  円弧、  Ｃ２１  キャパシタ、  Ｃ２２  キャパシタ、  Ｃ２３  キャパシタ
【図１Ａ】
2014039823.tif 000003
【図１Ｂ】
2014039823.tif 000004
【図２】
2014039823.tif 000005
【図３Ａ】
2014039823.tif 000006
【図３Ｂ】
2014039823.tif 000007
【外国語明細書】
2014039823.tif 000008
2014039823.tif 000009
2014039823.tif 000010
2014039823.tif 000011
2014039823.tif 000012
2014039823.tif 000013
2014039823.tif 000014
2014039823.tif 000015
2014039823.tif 000016
2014039823.tif 000017
2014039823.tif 000018
2014039823.tif 000019
2014039823.tif 000020
2014039823.tif 000021
2014039823.tif 000022
2014039823.tif 000023
2014039823.tif 000024
2014039823.tif 000025
2014039823.tif 000026
2014039823.tif 000027